(57)【要約】【課題】蓋を台座に被った時、蓋の押えピンが直接チップの表面を押えて、パレットと押えピンの間に挟まれた状態で固定され、チップを保護する。【解決手段】台座と、蓋と、弾性スティックと、複数のパレットと、からなる、前記台座の上部の表面に複数の放置槽を仕切りに設け、前記蓋の内面に複数の押えピンを設け、前記弾性スティックが、前記台座の前記放置槽に設け、前記複数のパレットが前記弾性スティックの上方に設け、チップをその上に乗せる。前記蓋を前記台座に被った時、前記蓋の押えピンは前記チップの表面を押え、前記チップは挟まれた状態で前記パレットと前記押えピンの間に固定されるチップ包装ケースを提供する。【選択図】  図４
0003104952.tif 000002
【実用新案登録請求の範囲】
【請求項１】
少なくとも、台座と、蓋と、弾性スティックと、複数のパレットとからなる前記台座上部の表面に少なくとも一つの突起形状の合わせ部を設け、
前記合わせ部に収納槽を設け、前記収納槽の内部に複数の放置槽を仕切りに設置して、各隣接する前記放置槽の間に一つの接続溝を設け、前記蓋の内面に少なくとも一つの凹み溝を設けて、前記合わせ部と合わせて、前記台座の頂部に被さる前記複数の凹み溝の内に、前記複数の放置槽の位置に対応して、複数の押えピンを設け、前記弾性スティックは、前記台座の前記放置槽と前記接続溝の内部に設け、その上に前記放置槽内部の形状に対応し、複数の板状の保管部を形成する、各隣接した前記保管部の間に、前記接続溝内に嵌め込むように、それぞれに一つの接続部を設け、前記複数のパレットは前記弾性スティックの前記保管部上方に設け、前記弾性スティックの接続部内に嵌め込むように、向かい合った両側にそれぞれ一つのパレット接続部を設け、前記保管部の表面を押えるように、下部の表面に複数の押え突起を設け、表面の周囲に互いに対向する位置に支持部を設け、チップをその上に乗せる、前記蓋が前記台座に被った後、前記蓋の前記押えピンは前記チップの表面を押え、前記チップは挟まれた状態で前記パレットと前記押えピンの間に固定されることを特徴とするチップ包装ケース。
【請求項２】
蓋に設けた押えピンは円錐状構造であることを特徴とする請求項1に記載のチップ包装ケース。
【請求項３】
蓋に設けた押えピンは円弧形凹み面で両側が下に突起する構造であることを特徴とする請求項1に記載のチップ包装ケース。
【請求項４】
保管部の下部の表面に複数の支持ピンを設けることを特徴とする請求項1に記載のチップ包装ケース。
【請求項５】
放置槽の内側面に対応する位置である保管部の側面に凹み溝を設けることを特徴とする請求項1記載のチップ包装ケース。
【請求項６】
パレットの支持部は突起構造であることを特徴とする請求項1に記載のチップ包装ケース。
【請求項７】
パレットの支持部は円弧形凹み面で、両側が上に突起する構造であることを特徴とする請求項1に記載のチップ包装ケース。
【請求項８】
台座の下部の外部周囲表面に波状の滑り止めを設けることを特徴とする請求項1に記載のチップ包装ケース。
【請求項９】
パレットの上表面の内周に一つの合わせ溝を設け、その表面に支持部を設けることを特徴とする請求項1に記載のチップ包装ケース。
【請求項１０】
合わせ溝の兩端に欠目を設けることを特徴とする請求項９に記載のチップ包装ケース。
【考案の詳細な説明】
【技術分野】
【０００１】
本考案はチップ包装ケースに関するものであり、特に、チップが包装された後の輸送や部品組立作業し易しくするためのチップを保護及び固定することが可能な包裝ケースに関する。
【背景技術】
【０００２】
チップ、特に光学チップは光学レンズより精密で、主によりよい撮影品質を得るための光学製品に使用され、カメラ、デジタルカメラ、ビデオカメラ、デジタルビデオカメラ、監視カメラ及び携帯電話など高精密度、高解析度の光学製品に幅広く応用される。
【０００３】
光学チップは、加工完成後、体積が非常に小さく、薄弱で脆く、余分な外力に耐えることができない。その上、精密加工されているため、製造コストが比較的高い。従って、適当な専業技術を有さなければ生産できない。
通常は、専業チップメーカーに委託して生産した後に、組立工場に輸送して目的製品に取り付ける。このため、輸送や包装する時に様々な問題が発生する。また、輸送や包装する時に使用される包装ケースの品質は、チップが組立工場に届いた時に、良品率に大きな影響を与える。
【０００４】
既存の光学チップ包装ケースは、通常、プラスチック射出成形法で作られ、主に一つの台座１０'と、前記台座１０'の上に被せられる蓋２０'とから構成される。
前記台座１０'上部の表面に、複数個平行に配列した突起形状の合わせ部１２'を設け、前記合わせ部１２'に収納槽１４'を設ける。前記収納槽１４'に複数の放置槽１４２'を同一の方向に配列し、隣接した放置槽１４２'の間に、各々一つの接続溝１４４'を設け、放置槽１４２'を仕切る。
また、前記蓋２０'と前記台座１０'が互いに嵌め合わせるように、前記蓋２０'の内面に複数の凹み溝２２'を設けて、合わせ部１２'に嵌める。
さらに、放置槽１４２'の位置に対応する凹み溝２２'内に複数円錐状の押えピン２２２'を設ける。前記各収納槽１４'内に、軟性プラスチックで一体射出成形された弾性スティック３０'を設ける。前記弾性スティック３０'は放置槽１４２'の内側面に沿って両側が上方に延伸して、支持部３２'を形成し、前記支持部３２'の末端に支持点３２２'を形成する。チップ５０'を放置槽１４２'に納める時、前記弾性スティック３０'に形成した前記支持点３２２'により、前記チップ５０'の四隅を支える。
前記蓋２０'を前記台座１０'上に被った時、前記押えピン２２２'はチップ５０'の上部表面の四隅に当てて、前記チップ５０'をチップ包装ケースに固定する。よって、前記チップ５０'を包裝した後に輸送に便利し、輸送中に外力による損傷を避けることができる。
【０００５】
しかし、従来のチップ包装ケースについて使用するには、下記の欠点がまた存在している。
蓋は一般的に硬質プラスチックで射出成形法によって作られ、製造の過程には熱膨張に影響され易く、その上に設けた押えピンの円錐状の頂点が平坦な状態でない場合があるため、前記押えピンの位置に段差が発生して、チップを固定する時、安定性に影響を与える。
また、蓋を台座に被せた際、蓋に設けた押えピンが下と横方向にかける力は、弾性スティックに設けたチップの下部表面の四隅を支える支持点を変形させて、支持点が支持部の外側に曲がり、チップの表面と支持点との接触面積を拡大して、制限されたチップと支持点との接触可能な範囲を超えてしまう。
同時に、支持点とチップの表面が互いに摩擦して、チップの表面に擦傷を残してしまい、チップの良品率を低下させて、チップが使用不能な状態に至る場合もある。
さらに、弾性スティックは軟質プラスチックで一体射出成形法で作られるため、同じく熱膨張に影響され、その上に設けた支持部と支持部末端の支持点からできた空間上の水平面に段差が発生しやすく、さらに前記蓋が成形する時に、押えピンの位置ずれによって、チップが弾性スティックの支持点と押えピンの間に挟まれる時、各押えピンと支持点の隙間が異なるため、各押えピンがチップの表面にかける力が不均衡や力のかけ過ぎでチップ四隅を支える支持点を変形させ過ぎることにより、チップの良品率を低下させて、さらに、チップの折れ、割れ、またはコーナー崩れなど、重大な損傷により使用に堪えられない場合に至って、製造原価の重い負担となる。
また、上記弾性スティックは、チップをその上に直接乗せる一本の構造体である。熱膨張やその他の事情により、支持点と押えピンがお互いに正確に位置を合わせることができず、位置ずれが発生した場合には、部分的に位置ずれによって、弾性スティックは全体に影響され、位置ずれの誤差が発生してしまう。
そして、弾性スティック上に乗せたチップの積載位置もずれてしまい、一列に並べて収納されたチップに損害を与えてしまう。
【考案の開示】
【考案が解決しようとする課題】
【０００６】
従って、本考案の目的は、チップにかける力が不均衡の時や、チップにかける力が強すぎや不当な外力を受ける時、余分な力を吸収することにより衝撃吸収効果を高め、チップの表面に不用意な擦傷の発生を低減させ、チップの損傷を軽減し、さらに、より良い汎用性を持つ、生産コストを押える、チップ包装ケースを提供する。
【課題を解決するための手段】
【０００７】
前記目的を達成するため、収納槽内に単独設置したパレットを利用して、チップにかける力が不均衡の時、包装ケース内各チップの互いに干渉することなく、チップにかける力の不均衡を避けることができ、損傷を軽減できる。    
また、パレットと弾性スティックの間が互いに合わせて、よりよい変形性を持つため、チップにかける力が強すぎや不当な外力を受ける時、余分の力を吸収して、包装ケースのよりよい衝撃吸収効果を高めることができる。
また、従来の軟質弾性スティックの代わりに硬質パレットに直接チップをのせて、チップ表面に不用意な擦傷の発生を防止する。
さらに、包裝対象のチップの寸法や形状に従い、金型でパレットが作られるため、包装ケースの構造を変更する必要はなく、包装ケースにより良い汎用性を持たせることができ、生産コストを押えることができる。
【考案の効果】
【０００８】
従って、本考案に係るチップ包装ケースは下記の長所を有する。
即ち、ゴム材質でできた弾性スティックの物理特性により、チップが受ける余分な外力を吸收することができる。チップを収納する時、蓋の押えピンのかける力が強すぎた場合や押えピンの段差により、力の不均衡でチップに過剰の挟まる力によって、割れやコーナー崩れなどの損傷を避けて、チップにより良い保護性を提供することができる。
また、本考案に係る包装ケースのパレットの支持部はチップの表面に制限された範囲のみを支え、チップにかける力を平均的に分散することができる。
そのため、従来のチップ包装ケースのように、支持点でチップを支える場合に、チップにかける力が強すぎた場合やかける力が不均衡で支持点が変形して、支持点とチップとの間の接触面積が拡大され、制限された範囲以外に擦傷が発生するなど、不良品が出てしまうことを防止することができる。
さらに、本考案に係る包装ケースのパレットは、個別で弾性スティックの保管部の上に設置するため、パレットは独自で力を受けることができる、しかも、押え突起と弾性スティックの組合せにより、チップにかける力を平均的に弾性スティック上に分散することができる。
従来のチップ包装ケースのように、弾性スティックは一本で長く伸びて設置されるため、チップにかける力が不均衡の場合に、弾性スティックが変形して、各放置槽内のチップに固定する効果を干渉し、包裝、輸送の過程中、チップを包装ケースに有効な位置決めや固定することができないことを防止することができる。
さらに、パレットの表面には、異なったチップが収納できるように、合わせ溝を設ける。合わせ溝的形状や寸法を変更するだけで、異なった形状や寸法のチップを包装することができ、包装ケース本体を作り直す必要はない。そのため、生産コストを大幅に押えることができる。
【考案を実施するための最良の形態】
【０００９】
図４に示すように、本考案は台座１０と、蓋２０と、複数の個別的に挿入可能なパレット３０と、及び複数の弾性スティック４０とからなるチップ包装ケースである。
【００１０】
前記台座１０は、硬質プラスチックの一体射出成形構造であり、上部の表面に複数の突起形状の合わせ部１２を平行に配列して設け、前記合わせ部１２上に収納槽１４を設ける。前記収納槽１４内部に複数の放置槽１４２が同一の方向に配列され、それぞれに隣接した前記放置槽１４２の間に接続溝１４４を設け、前記放置槽１４２を仕切る。  
ユーザーが取扱い易くするため、前記台座１０の下部の外部周囲表面に波状の滑り止め１６を設ける。前記台座１０の底の内部に複数本の補強材１８を設け、前記台座１０の構造を強化する。
【００１１】
前記蓋２０も同じく硬質プラスチックの一体射出成形構造であり、蓋内面の台座１０の合わせ部１２に対応する位置に複数の凹み溝２２を設け、前記蓋２０を前記台座１０に被せる時、前記凹み溝２２を前記合わせ部１２上に嵌める。
前記凹み溝２２の内面に複数の押えピン２２２を設ける。前記押えピン２２２としては、半球やスティックなどいずれの形状で仕上げてもよく、好ましい例として円錐状の押えピン２２２である。それらの前記押えピン２２２は、それぞれ放置槽１４２の位置に合わせて設置される。
【００１２】
また、図５に示すように、弾性スティック４０は柔らかいゴム材質で生産され、台座１０の放置槽１４２と接続溝１４４の内部に挿入する。前記放置槽１４２内部の形状に対応して、前記弾性スティック４０の上に複数の板状の保管部４２を形成する。前記台座１０の前記接続溝１４４内に嵌め込むように、各隣接した前記保管部４２の間にそれぞれ接続部４４を設ける。前記保管部４２の下部の表面に複数の支持ピン４６を設ける。
前記放置槽１４２の内側面に対応する位置である前記保管部４２の側面に凹み溝４２２を設ける。前記弾性スティック４０はゴム材質で生産されたから、受圧して変形するや変形を回復する物理性を持つ。
【００１３】
図６と図７に示すように、パレット３０は弾性スティック４０の保管部４２の上方に設け、硬質プラスチックの一体射出成形構造である。前記パレット３０は向かい合った両側にそれぞれ一つのパレット接続部３４を設け、前記弾性スティック４０の接続部４４に嵌め込む。
前記パレット３０は下部の表面に複数の押え突起３６を設け、前記保管部４２の表面を押える。前記パレット３０は表面の周りに互いに対応する位置に支持部３２を設け、チップ５０をその上に乗せる。
前記支持部３２としては、半球やスティックなどいずれの形状で仕上げてもよく、好ましい例として突起構造の支持部３２である。図８及び図９に示すように、蓋２０を台座１０に被る時、前記蓋２０の押えピン２２２が直接前記チップ５０の表面に押えて、前記チップ５０は前記パレット３０の前記支持部３２と前記押えピン２２２の間に挟まれて固定される。よって、前記チップ５０を包裝する及び安全な輸送する効果を提供する。
【００１４】
前記パレット３０の下部に設けられた押え突起３６は、直接に柔軟な前記弾性スティック４０の保管部４２の表面に接触することによって、余分の圧力や外力が包装ケース中のチップ５０にかかる時には、前記押え突起３６は適当に下の前記保管部４２の表面に凹んで、余分の圧力や外力を前記弾性スティック４０上に移動させる。
さらに、前記弾性スティック４０の下部に設けた支持ピン４６は、もう１重の緩衝を提供し、余分の圧力や外力がさらに強い場合、前記支持ピン４６は適当に変形して余分の圧力や外力を軽減して分散し、前記チップ５０を二重に保護する。
そのほか、本考案に係る包装ケースの前記弾性スティック４０は柔軟な材質の特性を利用して変形できるため、圧力を受ける時に、変形するや変形を回復する物理性を充分に利用し、耐震機能として、包装ケースに収納されたチップの保護する。
【００１５】
図１０に示すのは本考案のチップ包装ケースのパレットの他の実施例である。図１０に示すように、パレット６０は同じく向かい合った両側にそれぞれ一つのパレット接続部６４を設け、接続部４４に嵌め込む。
前記パレット６０は下部の表面に複数の押え突起６６を設け、保管部４２の表面を押える。前記パレット３０との相違点は、前記パレット６０は表面にチップ５０を収納することが可能な合わせ溝６２を設け、前記チップ５０を取り出し易くするために、前記合わせ溝６２の両側に欠目６２２を設け、前記チップ５０を乗せるために、前記合わせ溝６２内部の周りに互いに対向する位置に支持部６２４を設ける。
図１１及び図１２に示すように、蓋２０が台座１０に被る時、前記蓋２０の押えピン２２２は直接に前記チップ５０の表面を押える。前記チップ５０は、前記パレット６０の前記合わせ溝６２の中で、前記支持部６２４と前記押えピン２２２の間にはさまれて固定される。前記合わせ溝６２は包裝する対象となる前記チップ５０の寸法に従い設定することができ、前記台座１０、前記蓋２０及び弾性スティック４０の寸法を変更しなくても、前記パレット６０の寸法のみを変更すれば、他の寸法のチップ５０を包装することができる。そのため、本考案のチップ包装ケースはよりよい汎用性を提供することができる。
【００１６】
図１３に示すのは本考案のチップ包装ケースの蓋の他の実施例である。図１３に示すように、蓋７０の内面に同じく複数の凹み溝７２が設けられ、前記蓋７０を台座１０に被る時、前記凹み溝７２が合わせ部１２上に嵌める。しかし、前記凹み溝７２内に設ける押えピン７２２は、円弧形凹み面７２２２のある、両側が下に突起する前記押えピン７２２である。図１４及び図１４Ａに示すように、前記押えピン７２２はそれぞれに放置槽１４２の位置に対応して設置する。図１５及び図１６に示すように、前記蓋７０を前記台座１０に被る時、前記蓋７０の前記押えピン７２２は直接にチップ５０の表面の両側を押えて、前記チップ５０をパレット３０と前記押えピン７２２の間に挟まれて固定する。前記押えピン722は前記チップ50の周囲を挟み、前記チップ５０の中央表面に接触していないため、押えピンが前記チップ５０の中央部に直接接触して発生する擦傷を防止することができる。
【００１７】
図１７に示すのは、本考案チップ包装ケースのパレットの他の実施例である。
図１７に示すように、前記パレット３０、６０との相違点は、パレット８０の表面にチップ５０を乗せるための支持部８２は円弧形凹み面８２２のある、両側が上に突起する前記支持部８２である。図１８と図１９に示すのは、前記パレット８０と押えピン７２２に合わせ、蓋７０を台座１０に被る時、押えピン７２２が直接にチップ５０の周囲を押えて、前記チップ５０は前記押えピン７２２と前記パレット８０の前記支持部８２に挟まれて固定される。
この実施例において、前記チップ５０の両側の周囲のみを上下に前記押えピン７２２と前記パレット８０の前記支持部８２に挟まれるため、前記チップ５０の中央表面に接触して発生する擦傷を防止することができる。
また、前記チップ５０の両側の周囲にかける上下方向の力はバランスをよく取れるため、力の不均衡による破損を防止することができる。
【図面の簡単な説明】
【００１８】
【図１】従来の技術に係るチップ包装ケースの立体分解略図である。
【図２】従来の技術に係るチップ包装ケースのチップ包裝完了後の断面図である。
【図３】図２の局部拡大略図である。
【図４】本考案のチップ包装ケースの立体略図である。
【図５】本考案のチップ包装ケースのパレットと弾性スティックの立体略図である。
【図６】本考案のチップ包装ケースのパレット正面図である。
【図７】本考案のチップ包装ケースのパレット側面図である。
【図８】本考案のチップ包装ケースのチップ包裝完了後の断面略図である。
【図９】図８の局部拡大図である。
【図１０】本考案のチップ包装ケースのパレットの他の実施例である。
【図１１】図１０に示すパレットでもってチップ包裝完了後の断面略図である。
【図１２】図１１の拡大図である。
【図１３】本考案のチップ包装ケースの蓋の他の実施例である。
【図１４】図１３の断面略図である。
【図１４Ａ】図１４の局部拡大図である。
【図１５】図１３に示す蓋を使用し、チップ包裝完了後の断面略図である。
【図１６】図１５の局部拡大図である。
【図１７】本考案のチップ包装ケースのパレットの他の実施例である。
【図１８】図１７に示すパレットの正面図である。
【図１９】図１７に示すパレットを使用して、チップ包装完了後の局部断面略図である。
【符号の説明】
【００１９】
１０'      台座
１２'      合わせ部
１４'      収納槽
１４２'    放置槽
１４４'    接続溝
２０'      蓋
２２'      凹み溝
２２２'    押えピン
３０'      弾性スティック
３２'      支持部
３２２'    支持点
５０'      チップ
１０      台座
１２      合わせ部
１４      収納槽
１４２    放置槽
１４４    接続溝
１６      滑り止め
１８      補強材
２０      蓋
２２      凹み溝
２２２    押えピン
３０      パレット
３２      支持部
３４      パレット接続部
３６      押え突起
４０      弾性スティック
４２      保管部
４２２    凹み溝
４４      接続部
４６      支持ピン
５０      チップ
６０      パレット
６２      合わせ溝
６２２    欠目
６２４    支持部
６４      パレット接続部
６６      押え突起
７０      蓋
７２      凹み溝
７２２    押えピン
７２２２   円弧形凹み面
８０      パレット
８２      支持部
８２２    円弧形凹み面
【図１】
0003104952.tif 000003
【図２】
0003104952.tif 000004
【図３】
0003104952.tif 000005
【図４】
0003104952.tif 000006
【図５】
0003104952.tif 000007
【図６】
0003104952.tif 000008
【図７】
0003104952.tif 000009
【図８】
0003104952.tif 000010
【図９】
0003104952.tif 000011
【図１０】
0003104952.tif 000012
【図１１】
0003104952.tif 000013
【図１２】
0003104952.tif 000014
【図１３】
0003104952.tif 000015
【図１４】
0003104952.tif 000016
【図１４Ａ】
0003104952.tif 000017
【図１５】
0003104952.tif 000018
【図１６】
0003104952.tif 000019
【図１７】
0003104952.tif 000020
【図１８】
0003104952.tif 000021
【図１９】
0003104952.tif 000022